Podtech/llm-jp-corpus-v4-ja_patent huggingface dataset:
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
原稿台に載置した画像情報を、読取光学系を介してラインセンサの上に結像させ、該画像情報を得る画像読取装置に用いられる該画像情報を照明するための照明系であって、
該照明系は、照明ユニットと、該画像情報からの光束を反射させて、該読取光学系に導光するためのミラーと、
該原稿台と該ミラーとの間であって、光軸方向に互いに離間して、かつ、該照明ユニットから発せられた直接光を受けない位置に配置され、かつ、該画像情報からの光束が通過するスリット形状の開口部を含む複数の遮光部材とを有することを特徴とする照明系。
【請求項２】
前記複数の遮光部材を前記原稿台から光路方向で前記読取光学系へ順に第１、第２・・・第ｎ遮光部材とし、ｉ＝１〜（ｎ−１）とするとき
第ｉ遮光部材と第ｉ＋１遮光部材は前記スリット形状の開口部より広い開口を有する遮光保持部材で保持されており、第ｉ遮光部材のスリット形状の短手方向の幅をａｉ、
第ｉ遮光部材の原稿側の面と第ｉ＋１遮光部材の前記ミラー側の面との光軸方向の距離をｂｉ、該遮光保持部材の開口部の該スリット形状の短手方向の最大幅をｃｉとするとき
ａｉ≦ａｉ＋１
３（ｍｍ）＜ａｉ＜８（ｍｍ）
ｂｉ≦２（ｃｉ−ａｉ）≦４ｂｉ
なる条件を満足することを特徴とする請求項１の照明系。
【請求項３】
前記複数の遮光部材のうち光軸方向に隣接する２つの遮光部材と、該２つの遮光部材を保持する遮光保持部材との間で空間領域を形成していることを特徴とする請求項１又は２の照明系。
【請求項４】
前記複数の遮光部材のうち光軸方向に対し垂直方向に配列された遮光部材のスリット形状の開口部側の内壁の光軸方向の長さをＤＬとするとき
０．１ｍｍ＜ＤＬ＜１．０ｍｍ
なる条件を満足することを特徴とする請求項１、２又は３の照明系。
【請求項５】
請求項１乃至４のいずれか１項に記載の照明系と、該照明系からの光束で照明された原稿の画像情報を結像する読取光学系と、該読取光学系で結像した画像情報を読取るラインセンサを有していることを特徴とする画像読取装置。
【請求項６】
前記読取光学系の焦点距離と、結像倍率を各々ｆ、ｍ、前記複数の遮光部材を前記原稿台から光路方向で前記読取光学系へ順に第１、第２・・・第ｎ遮光部材とし、ｉ＝１〜（ｎ−１）とするとき
第ｉ遮光部材と第ｉ＋１遮光部材は前記スリット形状の開口部より広い開口を有する遮光保持部材で保持されており、第ｉ遮光部材のスリット形状の短手方向の幅をａｉ、
第ｉ遮光部材の原稿側の面と第ｉ＋１遮光部材の前記ミラー側の面との光軸方向の距離をｂｉとするとき
２２０（ｍｍ）／（ｆ＋ｆ／ｍ）≦３ａｉ／２ｂｉ
なる条件を満足することを特徴とする請求項５の画像読取装置。
【手続補正２】
【補正対象書類名】明細書
【補正対象項目名】００２６
【補正方法】変更
【補正の内容】
【００２６】
本発明の照明系は、原稿台に載置した画像情報を、読取光学系を介してラインセンサの上に結像させ、該画像情報を得る画像読取装置に用いられる該画像情報を照明するための照明系であって、
該照明系は、照明ユニットと、該画像情報からの光束を反射させて、該読取光学系に導光するためのミラーと、
該原稿台と該ミラーとの間であって、光軸方向に互いに離間して、かつ、該照明ユニットから発せられた直接光を受けない位置に配置され、かつ、該画像情報からの光束が通過するスリット形状の開口部を含む複数の遮光部材とを有することを特徴としている。
【手続補正３】
【補正対象書類名】明細書
【補正対象項目名】００４９
【補正方法】変更
【補正の内容】
【００４９】
両遮光部材３１、３３のスリット３１ａ，３３ａは照明ランプ１１の発光部から発する直接光を受けない位置に配置されている。よって、特に強い直接光をキャリッジ内部に迷光として発することはない。
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により得られた動画像信号を記録媒体に記録する記録手段と、
前記記録手段による前記動画像信号の記録中に、前記撮像手段により得られた動画像信号から、第１の期間毎に第２の期間の連続したフレームを指定し、前記指定したフレームの画像信号をメモリに記憶する処理手段と、
前記動画像信号の記録停止後に、前記メモリに記憶された画像信号を読み出して表示部に出力する出力手段と、
を有することを特徴とする撮像装置。
【請求項２】
前記記録手段は、前記動画像信号の記録停止後に、前記メモリに記憶された画像信号を読み出して前記記録媒体に記録することを特徴とする請求項１に記載の撮像装置。
【請求項３】
撮像手段と、前記撮像手段により得られた動画像信号を記録媒体に記録する記録手段とを有する撮像装置を制御する撮像装置の制御方法であって、
前記記録手段による前記動画像信号の記録中に、前記撮像手段により得られた動画像信号から、第１の期間毎に第２の期間の連続したフレームを指定し、前記指定したフレームの画像信号をメモリに記憶する処理工程と、
前記動画像信号の記録停止後に、前記メモリに記憶された画像信号を読み出して表示部に出力する出力工程と、
を有することを特徴とする撮像装置の制御方法。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
上記目的を達成するために本発明の一態様に係る撮像装置は以下のような構成を備える。即ち、
撮像手段と、
前記撮像手段により得られた動画像信号を記録媒体に記録する記録手段と、
前記記録手段による前記動画像信号の記録中に、前記撮像手段により得られた動画像信号から、第１の期間毎に第２の期間の連続したフレームを指定し、前記指定したフレームの画像信号をメモリに記憶する処理手段と、
前記動画像信号の記録停止後に、前記メモリに記憶された画像信号を読み出して表示部に出力する出力手段と、を有することを特徴とする。
【手続補正４】
【補正対象書類名】明細書
【補正対象項目名】００１１
【補正方法】変更
【補正の内容】
【００１１】
また上記目的を達成するために本発明の一態様に係る撮像装置の制御方法は以下のような工程を備える。即ち、
撮像手段と、前記撮像手段により得られた動画像信号を記録媒体に記録する記録手段とを有する撮像装置を制御する撮像装置の制御方法であって、
前記記録手段による前記動画像信号の記録中に、前記撮像手段により得られた動画像信号から、第１の期間毎に第２の期間の連続したフレームを指定し、前記指定したフレームの画像信号をメモリに記憶する処理工程と、
前記動画像信号の記録停止後に、前記メモリに記憶された画像信号を読み出して表示部に出力する出力工程と、を有することを特徴とする。
【手続補正５】
【補正対象書類名】明細書
【補正対象項目名】００１３
【補正方法】削除
【補正の内容】
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により得られた動画像信号を記録媒体に記録する記録手段と、
前記記録手段による前記動画像信号の記録中に、所定の条件に従って、前記撮像手段により得られた動画像信号の一部のフレームを抽出し、前記抽出したフレームを記録レビューのための画像信号としてメモリに記憶する抽出手段と、
前記記録レビューのための画像信号のフレーム数を設定する設定手段と、
前記動画像信号の記録停止に応じて、前記メモリに記憶された画像信号を読み出して表示部に出力するレビュー手段とを備え、
前記レビュー手段は、前記設定手段によって設定されたフレーム数の画像信号を前記メモリから読み出して前記表示部に出力することを特徴とする撮像装置。
【請求項２】
前記レビュー手段は、前記メモリに記憶された記録レビューのための画像信号のフレーム数が前記設定されたフレーム数よりも多い場合には、前記設定手段により設定されたフレーム数に基づいて、前記メモリに記憶された画像信号から前記設定されたフレーム数の画像信号を選択し、前記選択した画像信号を読み出すことを特徴とする請求項１に記載の撮像装置。
【請求項３】
前記レビュー手段は、前記所定の条件に関連した優先度に基づいて、前記メモリに記憶された画像信号から前記設定されたフレーム数の画像信号を選択することを特徴とする請求項２に記載の撮像装置。
【請求項４】
前記レビュー手段は、前記メモリに記憶された記録レビューのための画像信号のフレーム数が前記設定されたフレーム数よりも少ない場合には、前記メモリに記憶された画像信号の全てのフレームを読み出して前記表示部に出力することを特徴とする請求項１に記載の撮像装置。
【請求項５】
表示部と、メモリと、撮像手段と、前記撮像手段により得られた動画像信号を記録媒体に記録する記録手段とを有する撮像装置を制御する撮像装置の制御方法であって、
前記記録手段による前記動画像信号の記録中に、所定の条件に従って、前記撮像手段により得られた動画像信号の一部のフレームを抽出し、前記抽出したフレームを記録レビューのための画像信号として前記メモリに記憶する抽出工程と、
前記記録レビューのための画像信号のフレーム数を設定する設定工程と、
前記動画像信号の記録停止に応じて、前記メモリに記憶された画像信号を読み出して前記表示部に出力するレビュー工程とを備え、
前記レビュー工程は、前記設定工程で設定されたフレーム数の画像信号を前記メモリから読み出して前記表示部に出力することを特徴とする撮像装置の制御方法。
【手続補正２】
【補正対象書類名】明細書
【補正対象項目名】発明の名称
【補正方法】変更
【補正の内容】
【発明の名称】撮像装置及び当該撮像装置の制御方法
【手続補正３】
【補正対象書類名】明細書
【補正対象項目名】０００１
【補正方法】変更
【補正の内容】
【０００１】
本発明は、動画の撮影後に、その撮影した動画像の一部或は全てを再生表示可能な撮像装置及び当該撮像装置の制御方法に関するものである。
【手続補正４】
【補正対象書類名】明細書
【補正対象項目名】００１０
【補正方法】変更
【補正の内容】
【００１０】
本発明の特徴は、動画像の撮影終了後にレックレビュー可能な撮像装置において、撮影した動画像の中から特徴的なシーンを自動的に抽出してレックレビュー用画像として記憶できる撮像装置及び当該装置の制御方法を提供することにある。
【手続補正５】
【補正対象書類名】明細書
【補正対象項目名】００１１
【補正方法】変更
【補正の内容】
【００１１】
上記目的を達成するために本発明の一態様に係る撮像装置は以下のような構成を備える。即ち、
撮像手段と、
前記撮像手段により得られた動画像信号を記録媒体に記録する記録手段と、
前記記録手段による前記動画像信号の記録中に、所定の条件に従って、前記撮像手段により得られた動画像信号の一部のフレームを抽出し、前記抽出したフレームを記録レビューのための画像信号としてメモリに記憶する抽出手段と、
前記記録レビューのための画像信号のフレーム数を設定する設定手段と、
前記動画像信号の記録停止に応じて、前記メモリに記憶された画像信号を読み出して表示部に出力するレビュー手段とを備え、
前記レビュー手段は、前記設定手段によって設定されたフレーム数の画像信号を前記メモリから読み出して前記表示部に出力することを特徴とする。
【手続補正６】
【補正対象書類名】明細書
【補正対象項目名】００１２
【補正方法】変更
【補正の内容】
【００１２】
また上記目的を達成するために本発明の一態様に係る撮像装置の制御方法は以下のような工程を備える。即ち、
表示部と、メモリと、撮像手段と、前記撮像手段により得られた動画像信号を記録媒体に記録する記録手段とを有する撮像装置を制御する撮像装置の制御方法であって、
前記記録手段による前記動画像信号の記録中に、所定の条件に従って、前記撮像手段により得られた動画像信号の一部のフレームを抽出し、前記抽出したフレームを記録レビューのための画像信号として前記メモリに記憶する抽出工程と、
前記記録レビューのための画像信号のフレーム数を設定する設定工程と、
前記動画像信号の記録停止に応じて、前記メモリに記憶された画像信号を読み出して前記表示部に出力するレビュー工程とを備え、
前記レビュー工程は、前記設定工程で設定されたフレーム数の画像信号を前記メモリから読み出して前記表示部に出力することを特徴とする。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
無線電話基地局および無線ＬＡＮ基地局を収容し、前記無線電話基地局または前記無線ＬＡＮ基地局に帰属する無線電話端末の通話に係る音声信号パスを設定する電話制御装置において、
前記無線電話基地局を経由する音声信号パスを設定した場合に前記無線電話端末が消費する電力を推定する第１の消費電力推定手段と、前記無線ＬＡＮ基地局を経由する音声信号パスを設定した場合に前記無線電話端末が消費する電力を推定する第２の消費電力推定手段と、前記無線電話端末への着信または前記無線電話端末からの発信に対して前記無線電話基地局または前記無線ＬＡＮ基地局のいずれかを経由する音声信号パスを設定する音声信号パス設定手段とを有し、
前記無線電話端末への着信または該無線電話端末からの発信があって、前記無線電話基地局経由の音声信号パスおよび前記無線ＬＡＮ基地局経由の音声信号パスの両方の音声信号パスが設定可能な状態であったとき、前記音声信号パス設定手段は、前記第１の消費電力推定手段が推定する消費電力と前記第２の消費電力推定手段が推定する消費電力とを比較し、当該着信または発信に係る呼制御信号が経由する呼制御信号パスに係らず、消費電力が小さい側の音声信号パスを選択して前記無線電話端末との音声信号パスを設定することを特徴とする電話制御装置。
【請求項２】
請求項１に記載の電話制御装置であって、
前記第２の消費電力推定手段は、
前記無線ＬＡＮ基地局から所定のデータを取得する取得手段と、
取得した前記所定のデータから再送がない場合の前記無線電話端末が消費する平均電力を算出する平均電力算出手段と、
前記所定のデータから現在の通信環境におけるパケット再送率を算出するパケット再送率算出手段と、
前記所定のデータから1パケットあたりの待ち時間を算出する待ち時間算出手段と、をさらに有し、
前記平均電力算出手段と前記パケット再送率算出手段と待ち時間算出手段のいずれかひとつまたは複数の算出手段から、当該無線電話端末の消費電力を推定することを特徴とする電話制御装置。
【請求項３】
請求項１または請求項２に記載の電話制御装置であって、
前記無線LAN基地局から取得する所定のデータは、該無線電話端末の電波強度、パケットサイズ、通信速度、電波品質、帯域保障機能の有無、省電力モードの有無、該無線電話端末以外の無線電話端末の通信帯域であることを特徴とする電話制御装置。
【請求項４】
無線電話基地局と無線ＬＡＮ基地局とを収容し、前記無線電話基地局または前記無線ＬＡＮ基地局に帰属する無線電話端末の通話に係る音声信号パスを設定する電話制御装置において、
前記無線電話端末が前記無線ＬＡＮ基地局を経由したデータ通信中か否かを判定する無線ＬＡＮ基地局経由データ通信中判定手段と、前記無線電話端末への着信または該無線電話端末からの発信に対して前記無線電話基地局または前記無線ＬＡＮ基地局のいずれかを経由する音声信号パスを設定する音声信号パス設定手段とを有し、
前記無線電話基地局を経由する前記無線電話端末への着信または該無線電話端末からの発信があったとき、且つ、前記無線ＬＡＮ基地局経由データ通信中判定手段が該無線電話端末は前記無線ＬＡＮ基地局を経由してデータ通信中であると判定したとき、前記音声信号パス設定手段は、当該着信または発信に係る呼制御信号が経由する呼制御信号パスに係らず、前記無線ＬＡＮ基地局経由の音声信号パスを設定することを特徴とする電話制御装置。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
読み取る原稿を載置するための原稿台と、
前記原稿台の原稿が載置される領域に光を照射する光源と、
前記光源により照射された光の反射光を光電変換し、複数の色成分信号を出力する光電変換手段と、
前記光源を消灯した状態において前記光源変換手段から出力される複数の色成分信号に基づき、原稿サイズ検知に用いる色成分を選択し、前記光源を点灯した状態において前記イメージセンサから出力される、前記選択された色成分に対応する色成分信号に基づいて、前記原稿台に載置された原稿のサイズを検知する原稿サイズ検知手段と
を有することを特徴とする原稿サイズ検知ユニット。
【請求項２】
前記光電変換手段は、一列に配列された光電変換素子を有し、
前記原稿サイズ検知手段は、前記光源を点灯した状態で前記イメージセンサから出力される、前記選択された色成分に対応する色成分信号に基づいて、前記原稿における前記光電変換素子の配列された主走査方向の長さを検知することを特徴とする請求項１記載の原稿サイズ検知装置。
【請求項３】
さらに、前記原稿台の少なくとも１箇所における前記原稿の有無を検出する検出手段を有し、
前記原稿サイズ検知手段は、前記検出手段の検出結果と、前記光源を点灯した状態で前記イメージセンサから出力される前記選択された色成分に対応する色成分信号とに基づいて、前記原稿のサイズを検知することを特徴とする請求項２記載の原稿サイズ検知装置。
【請求項４】
前記原稿サイズ検知手段は、前記光源を点灯した状態で前記イメージセンサから出力される前記選択された色成分に対応する色成分信号の値が閾値を超える領域から前記原稿のサイズを検知することを特徴とする請求項１記載の原稿サイズ検知装置。
【請求項５】
前記原稿サイズ検知手段は、前記光源を消灯した状態での前記光電変換手段から出力される複数の色成分信号のうち相対的に出力が小さい色成分信号の色成分を選択することを特徴とする請求項１記載の原稿サイズ検知装置。
【請求項６】
前記原稿サイズ検知手段は、前記光源を消灯した状態での前記光電変換手段から出力される複数の色成分信号それぞれにおける最大レベルが最小である色成分を原稿サイズ検知に用いる色成分として選択することを特徴とする請求項５記載の原稿サイズ検知装置。
【請求項７】
前記原稿サイズ検知手段は、前記光源を消灯した状態での前記光電変換手段から出力される複数の色成分信号それぞれにおける最大レベルに色成分に対応した重み付けをした結果が最小である色成分を前記原稿サイズ検知に用いる色成分として選択することを特徴とする請求項１記載の原稿サイズ検知装置。
【手続補正２】
【補正対象書類名】明細書
【補正対象項目名】０００６
【補正方法】変更
【補正の内容】
【０００６】
本発明の原稿サイズ検知ユニットは、読み取る原稿を載置するための原稿台と、前記原稿台の原稿が載置される領域に光を照射する光源と、前記光源により照射された光の反射光を光電変換し、複数の色成分信号を出力する光電変換手段と、前記光源を消灯した状態において前記光源変換手段から出力される複数の色成分信号に基づき、原稿サイズ検知に用いる色成分を選択し、前記光源を点灯した状態において前記イメージセンサから出力される、前記選択された色成分に対応する色成分信号に基づいて、前記原稿台に載置された原稿のサイズを検知する原稿サイズ検知手段とを有することを特徴とする。
【手続補正３】
【補正対象書類名】明細書
【補正対象項目名】０００７
【補正方法】変更
【補正の内容】
【０００７】
本発明によれば、原稿サイズ検知における外乱光の影響を低減させることができ、原稿サイズ検知を高精度に行うことができる。
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
録画したコンテンツを再生する再生装置であって、
再生すべきシーン群からなるコーナーを持つコンテンツと、そのコーナーの開始位置及び終了位置を特定する情報の指定を受け付ける指定手段と、
前記指定手段により指定されたコンテンツのうち、指定されたコーナー部分をショット単位で分割し、得られた各ショットについて第１の特徴量を求める第１の特徴量抽出手段と、
前記コンテンツとは異なる他のコンテンツをショット単位で分割し、得られた各ショットについて第２の特徴量を求める第２の特徴量抽出手段と、
前記第１の特徴量と前記第２の特徴量とを比較し、該第１及び第２の特徴量が所定の閾値に収まる場合には、該第２の特徴量を有するショットを、前記コーナーのショットとして抽出するコーナー抽出手段とを備え、
前記第１の特徴量抽出手段は、前記指定手段により指定されたコーナーの開始時刻の直前の区間の特徴群、開始時刻の直後の区間の特徴群、開始時刻から終了時刻までの区間の特徴群、終了時刻の直前の区間の特徴群及び終了時刻の直後の区間の特徴群をそれぞれ抽出し、
前記コーナー抽出手段は、前記他のコンテンツの各ショットについて、コーナーの開始直前である確率、コーナーの開始直後である確率、コーナー中である確率、コーナーの終了直前である確率及びコーナーの終了直後である確率を計算し、該計算結果に基づき最もコーナーらしい区間を抽出することを特徴とする再生装置。
【請求項２】
前記第１及び第２の特徴量抽出手段は、前記コーナー区間内の画像を対象とした特徴群、区間内の音声を対象とした特徴群、及び区間の開始時刻や継続時間等の時間特徴群を含む特徴を抽出する
ことを特徴とする請求項１記載の再生装置。
【請求項３】
録画したコンテンツを再生するコンテンツ再生プログラムであって、
前記コンテンツ再生プログラムは、
再生すべきシーン群からなるコーナーを持つコンテンツと、そのコーナーの開始位置及び終了位置を特定する情報の指定を受け付け、
前記指定されたコンテンツのうち、指定されたコーナー部分をショット単位で分割し、得られた各ショットについて第１の特徴量を求め、
前記コンテンツとは異なる他のコンテンツをショット単位で分割し、得られた各ショットについて第２の特徴量を求め、
前記第１の特徴量と前記第２の特徴量とを比較し、該第１及び第２の特徴量が所定の閾値に収まる場合には、該第２の特徴量を有するショットを、前記コーナーのショットとして抽出する処理をコンピュータに実行させ、
前記第１の特徴量を求める処理は、指定されたコーナーの開始時刻の直前の区間の特徴群、開始時刻の直後の区間の特徴群、開始時刻から終了時刻までの区間の特徴群、終了時刻の直前の区間の特徴群及び終了時刻の直後の区間の特徴群をそれぞれ抽出し、
前記コーナーのショットとして抽出する処理は、前記他のコンテンツの各ショットについて、コーナーの開始直前である確率、コーナーの開始直後である確率、コーナー中である確率、コーナーの終了直前である確率及びコーナーの終了直後である確率を計算し、該計算結果に基づき最もコーナーらしい区間を抽出することを特徴とするコンテンツ再生プログラム。
【手続補正書】
【提出日】平成23年3月18日(2011.3.18)
【手続補正１】
【補正対象書類名】特許請求の範囲
【補正対象項目名】請求項１
【補正方法】変更
【補正の内容】
【請求項１】
固定子ヨーク及び該固定子ヨークの内周面に設けられた一対の対向する永久界磁磁石を備えた固定子と、
該固定子の内周面の中心軸に設けられた回転軸に装着され、該回転軸の半径方向外側に外周面を有するコアであって、該コアの半径方向に開き、且つ前記回転軸方向に沿って延在するように形成された複数のスロットを有する電機子コアと、
前記電機子コアの各スロット内に巻回された電機子コイルと、
互いに電気的絶縁された複数の整流子片を有し、該整流子片に前記電機子コイルの端部を電気的接続して前記電機子コイルに駆動電流を供給するための整流子と、
単相交流電源を全波整流するための電源回路手段と、
前記電源回路手段の正極側及び負極側にそれぞれ電気的接続され、前記整流子に摺動して前記電機子コイルへ前記駆動電流を供給する一対のブラシと、を具備する永久磁石整流子モータにおいて、
前記電機子コイルは、実効値１００Ｖを超える前記単相交流電源の全波整流電圧によって駆動されるように構成され、
前記複数の整流子片は、前記電機子コアに形成された前記複数のスロット数（ｎ）より２倍以上の整数倍の数（２ｎ、３ｎ、・・・・）に形成され、且つ前記各スロット内に巻回される前記電機子コイルの本数を前記整数倍の数（２ｎ、３ｎ、・・・・）に等しく設置したことを特徴とする永久磁石整流子モータ。
【手続補正２】
【補正対象書類名】明細書
【補正対象項目名】００１２
【補正方法】変更
【補正の内容】
【００１２】
本発明の一つの特徴によれば、固定子ヨーク及び該固定子ヨークの内周面に設けられた一対の対向する永久界磁磁石を備えた固定子と、該固定子の内周面の中心軸に設けられた回転軸に装着され、該回転軸の半径方向外側に外周面を有するコアであって、該コアの半径方向に開き、且つ前記回転軸方向に沿って延在するように形成された複数のスロットを有する電機子コアと、前記電機子コアの各スロット内に巻回された電機子コイルと、互いに電気的絶縁された複数の整流子片を有し、該整流子片に前記電機子コイルの端部を電気的接続して前記電機子コイルに駆動電流を供給するための整流子と、単相交流電源を全波整流するための電源回路手段と、前記電源回路手段の正極側及び負極側にそれぞれ電気的接続され、前記整流子に摺動して前記電機子コイルへ前記駆動電流を供給する一対のブラシと、を具備する永久磁石整流子モータにおいて、前記電機子コイルは、実効値１００Ｖを超える前記単相交流電源の全波整流電圧によって駆動されるように構成され、前記複数の整流子片は、前記電機子コアに形成された前記複数のスロット数（ｎ）より２倍以上の整数倍の数（２ｎ、３ｎ、・・・・）に形成され、且つ前記各スロット内に巻回される前記電機子コイルの本数を前記整数倍の数（２ｎ、３ｎ、・・・・）に等しく設置した。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
シャッターボタンと、
前記シャッターボタンの押し下げ方向とは逆方向の付勢力を発生させる付勢部と、
ブレ量を検出するブレ量検出部と、
前記ブレ量検出部により検出されたブレ量に基いて前記付勢部による付勢力を制御する制御部と、
を具備することを特徴とするブレ撮像防止ユニット。
【請求項２】
前記付勢部の付勢力は、ブレ量に応じて抑圧力を指で感じることができるようにしたことを特徴とする請求項1に記載のブレ撮像防止ユニット。
【請求項３】
前記制御部は、前記ブレ量検出部により検出されたブレ量が所定量以上であるときに前記シャッターボタンの押し下げを不可とするよう制御することを特徴とする請求項１に記載のブレ撮像防止ユニット。
【請求項４】
前記付勢部は、設定したブレ量の所定の閾値までは検出されたブレ量に応じてリニアに付勢力を強くすることを特徴とする請求項1に記載のブレ撮像防止ユニット。
【請求項５】
前記付勢部は、ブレ量に応じて緩やかに付勢力を強くし、予め設定されたブレ量の第一閾値に達したとき付勢力を一気に強くし、その後、予め設定されたブレ量の第二の閾値まではブレ量に応じて緩やかに付勢力を強くすることを特徴とする請求項1に記載のブレ撮像防止ユニット。
【請求項６】
前記付勢部は、ブレ量が予め設定した閾値に達したとき付勢力を一気に強くし、シャッターボタンの押し下げを禁止することを特徴とする請求項1に記載のブレ撮像防止ユニット。
【請求項７】
前記ブレ量検出部により検出されたブレ量に基いてブレの軌跡データを生成するブレ軌跡データ生成部と、
前記ブレ軌跡データ生成部により生成されたブレの軌跡データに基いてブレの軌跡を撮影中のモニター画像に重畳表示する表示部と、
を、さらに具備することを特徴とする請求項１に記載のブレ撮像防止ユニット。
【請求項８】
前記表示部は、さらに、フォーカスポイントを含む領域を表示することを特徴とする請求項７に記載のブレ撮像防止ユニット。
【請求項９】
請求項１〜請求項８のうちのいずれか一つに記載のブレ撮像防止ユニットが適用されていることを特徴とする撮像装置。
【請求項１０】
シャッターボタン押下に応答してブレ量を検知し、
検出されたブレ量に応じてシャッターボタン押下方向と逆方向の付勢力を発生させることを特徴とするブレ防止方法。
【手続補正２】
【補正対象書類名】明細書
【補正対象項目名】発明の名称
【補正方法】変更
【補正の内容】
【発明の名称】ブレ撮像防止ユニットとこれを適用した撮像装置及びブレ防止方法
【手続補正３】
【補正対象書類名】明細書
【補正対象項目名】０００１
【補正方法】変更
【補正の内容】
【０００１】
この発明は、ブレ撮像防止ユニットとこれを適用した撮像装置、詳しくは撮影時に生じるブレを検出して、そのブレが生じている旨を撮影者に告知する機能を備えたブレ撮像防止ユニットとこれを適用した撮像装置及びブレ防止方法に関するものである。
【手続補正４】
【補正対象書類名】明細書
【補正対象項目名】００１６
【補正方法】変更
【補正の内容】
【００１６】
上記目的を達成するために、本発明の一態様によるブレ撮像防止ユニットは、シャッターボタンと、前記シャッターボタンの押し下げ方向とは逆方向の付勢力を発生させる付勢部と、ブレ量を検出するブレ量検出部と、前記ブレ量検出部により検出されたブレ量に基いて前記付勢部による付勢力を制御する制御部と、を具備する。
また、本発明の一態様よる撮像装置は、上記ブレ撮像防止ユニットが適用されている。
さらに、本発明の一態様によるブレ防止方法は、シャッターボタン押下に応答してブレ量を検知し、検出されたブレ量に応じてシャッターボタン押下方向と逆方向の付勢力を発生させる。
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
アレイセンサと光学系とを有する読取手段を用いて前記アレイセンサのラスタ走査によって画像を読み取り、前記光学系の収差の影響を補正した画像データを出力する画像読取装置であって、
前記アレイセンサからの各画素の出力をデジタル信号に変換し、変換された画素値を順次出力する信号処理部と、
前記信号処理部から出力された前記画素値を入力画素列として順次入力し、前記順次入力される画素値を複数画素分一時記憶するメモリと、前記メモリから複数の画素値を読み出して補正画素値の計算を行う演算処理部とを有し、前記演算処理部から出力される前記補正画素値を出力画素列として順次出力する補正処理部と、
前記出力画素列の１ラインを複数の区間に区切り、各区間毎に含まれる出力画素数と補正係数とを格納するデータテーブルと、を有し、
前記データテーブルの前記補正係数は、各区間の出力画素列上の各画素が対応する入力画素列上の座標位置の間隔であって、前記補正係数を累積加算した値の座標位置に基づいて、前記演算処理部での前記補正画素値の演算を行うことを特徴とする画像読取装置。
【請求項２】
前記収差は、前記光学系の歪曲収差および色収差である、請求項１記載の画像読取装置。
【請求項３】
前記アレイセンサは、読取るカラー画像の色成分毎に個別に読み取りを行なう複数のラインセンサを有し、前記補正処理部は各色成分毎に前記処理を行なう、請求項１又は２記載の画像読取装置。
【請求項４】
前記補正処理部は、１つのラインに対して前半と後半で対称的な処理を行なう、請求項１記載の画像読取装置。
【請求項５】
前記演算処理部は、前記補正係数を累積加算した値の座標位置に最も近傍した座標位置とその次に近傍した座標位置の２つの入力画素の画素値から、補間処理によって前記補正画素値を求める手段を有する、請求項１記載の画像読取装置。
【請求項６】
アレイセンサと光学系とを有する読取手段を用いて前記アレイセンサのラスタ走査によって画像を読み取り、前記光学系の収差の影響を補正した画像データを出力する画像読取方法であって、
前記読取手段を用いて、画像をラスタ走査で読取るステップと、
前記アレイセンサからの各画素の出力をデジタル信号に変換し、変換された画素値を信号処理部から順次出力するステップと、
前記信号処理部から出力された前記画素値を入力画素列として順次入力し、前記順次入力される画素値を複数画素分メモリに一時記憶するステップと、
前記メモリから複数の画素値を読み出して演算処理部にて補正画素値の計算を行い、前記演算処理部から出力される前記補正画素値を出力画素列として順次出力するステップとを有し、
前記演算処理部での前記補正画素値の計算は、
前記出力画素列の１ラインを複数の区間に区切り、各区間毎に含まれる出力画素数と、各区間の出力画素列上の各画素が対応する入力画素列上の座標位置の間隔を示す補正係数とを格納するデータテーブルから、前記補正係数を参照するステップと、
前記補正係数を累積加算した値の座標位置に基づいて、前記演算処理部での前記補正画素値の演算を行うステップと、を有することを特徴とする画像読取方法。
【手続補正２】
【補正対象書類名】明細書
【補正対象項目名】００１７
【補正方法】変更
【補正の内容】
【００１７】
上記課題を解決する本発明は、アレイセンサと光学系とを有する読取手段を用いて前記アレイセンサのラスタ走査によって画像を読み取り、前記光学系の収差の影響を補正した画像データを出力する画像読取装置であって、前記アレイセンサからの各画素の出力をデジタル信号に変換し、変換された画素値を順次出力する信号処理部と、前記信号処理部から出力された前記画素値を入力画素列として順次入力し、前記順次入力される画素値を複数画素分一時記憶するメモリと、前記メモリから複数の画素値を読み出して補正画素値の計算を行う演算処理部とを有し、前記演算処理部から出力される前記補正画素値を出力画素列として順次出力する補正処理部と、前記出力画素列の１ラインを複数の区間に区切り、各区間毎に含まれる出力画素数と補正係数とを格納するデータテーブルと、を有し、前記データテーブルの前記補正係数は、各区間の出力画素列上の各画素が対応する入力画素列上の座標位置の間隔であって、前記補正係数を累積加算した値の座標位置に基づいて、前記演算処理部での前記補正画素値の演算を行うことを特徴とする。
【手続補正３】
【補正対象書類名】明細書
【補正対象項目名】００１８
【補正方法】変更
【補正の内容】
【００１８】
本発明の別の形態は、アレイセンサと光学系とを有する読取手段を用いて前記アレイセンサのラスタ走査によって画像を読み取り、前記光学系の収差の影響を補正した画像データを出力する画像読取方法であって、前記読取手段を用いて、画像をラスタ走査で読取るステップと、前記アレイセンサからの各画素の出力をデジタル信号に変換し、変換された画素値を信号処理部から順次出力するステップと、前記信号処理部から出力された前記画素値を入力画素列として順次入力し、前記順次入力される画素値を複数画素分メモリに一時記憶するステップと、前記メモリから複数の画素値を読み出して演算処理部にて補正画素値の計算を行い、前記演算処理部から出力される前記補正画素値を出力画素列として順次出力するステップとを有し、前記演算処理部での前記補正画素値の計算は、前記出力画素列の１ラインを複数の区間に区切り、各区間毎に含まれる出力画素数と、各区間の出力画素列上の各画素が対応する入力画素列上の座標位置の間隔を示す補正係数とを格納するデータテーブルから、前記補正係数を参照するステップと、前記補正係数を累積加算した値の座標位置に基づいて、前記演算処理部での前記補正画素値の演算を行うステップと、を有することを特徴とする。
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
操作部を備えた第１筐体と、
表示部を備えた第２筐体と、
前記第１筐体と前記第２筐体とを第１の方向及び前記第１の方向と垂直な方向である第２の方向に回動可能に連結する連結部と、を備えた携帯電子機器であって、
前記第２筐体は、窪みと、前記窪みに設けられた凸部と、を備え、
前記連結部は、
前記第１筐体と前記第２筐体とを前記第１の方向に回動可能にする第１部材と、
前記第１筐体と前記第２筐体とを前記第２の方向に回動可能にする第２部材と、を備え、
前記第１部材は、前記第１筐体と前記第２筐体とが積層された閉じ状態において、前記第２部材よりも前記第１筐体の厚み方向において下側に位置し、
前記第２部材は、前記第１筐体と前記第２筐体とが前記第２の方向に開いた状態において、前記第１部材の前記表面から突出し、前記第１部材の表面から前記第２部材の頂部まで設けられた斜面と、前記斜面に設けられ、前記凸部が挿入される凹部と、を有する携帯電子機器。
【請求項２】
前記凸部および前記凹部は、前記第２の方向に沿って形成されたことを特徴とする請求項１記載の携帯電子機器。
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
電気−機械エネルギー変換素子を有する振動子と、前記振動子を支持する支持部材と、前記振動子の一部に接触し、前記振動子に励振される振動により摩擦駆動される被駆動体とを備える振動波モータであって、
前記支持部材は、前記振動子が取り付けられ、前記振動子と共に振動する振動部と、前記支持部材を固定する固定部と、前記振動部と前記固定部とを連結し、前記振動部を支持する支持部とを備え、
前記支持部は、複数層のシート部材で構成されていることを特徴とする振動波モータ。
【請求項２】
前記支持部は、有機系材料からなるシート部材で構成された積層体と、該積層体よりも弾性率の高い補強部材とで構成されていることを特徴とする請求項１記載の振動波モータ。
【請求項３】
前記シート部材の積層体は、樹脂で構成されていることを特徴とする請求項２記載の振動波モータ。
【請求項４】
前記補強部材は銅系のリード材で構成されていることを特徴とする請求項２または３記載の振動波モータ。
【請求項５】
前記補強部材は、前記被駆動体を摩擦駆動するために用いられる振動の節となる位置であって、かつ、該振動とは異なる不要振動の腹となる位置に設けられていることを特徴とする請求項２乃至４のいずれか１項に記載の振動波モータ。
【請求項６】
前記支持部材は、前記電気−機械エネルギー変換素子に電気的に接続されるフレキシブルプリント基板であることを特徴とする請求項１乃至５のいずれか１項に記載の振動波モータ。
【手続補正２】
【補正対象書類名】明細書
【補正対象項目名】００１５
【補正方法】変更
【補正の内容】
【００１５】
上記目的を達成するために、請求項１記載の振動波モータは、電気−機械エネルギー変換素子を有する振動子と、前記振動子を支持する支持部材と、前記振動子の一部に接触し、前記振動子に励振される振動により摩擦駆動される被駆動体とを備える振動波モータであって、前記支持部材は、前記振動子が取り付けられ、前記振動子と共に振動する振動部と、前記支持部材を固定する固定部と、前記振動部と前記固定部とを連結し、前記振動部を支持する支持部とを備え、前記支持部は、複数層のシート部材で構成されていることを特徴とする。
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
カメラ撮影で得られた長方形状の画像をトリミングして略正方形の写真画像を生成する写真画像生成手段と、
前記写真画像を生成するとき、前記カメラが撮影する長方形状の映像のうち所定範囲の略正方形状の映像のみを表示するライブ映像表示手段と、
プレイヤの操作に応じて前記略正方形の写真画像上に所望の編集画像の入力を受け付ける編集受付手段と、
前記略正方形の写真画像と前記編集画像とを合成して略正方形の合成画像を生成する合成手段と、
前記生成された合成画像を印刷する印刷手段とを備えることを特徴とする写真撮影遊戯機。
【請求項２】
請求項１に記載の写真撮影遊戯機であってさらに、
複数のタイプ画像を蓄積するサーバと接続可能であり、
前記写真撮影遊戯機はさらに、
前記サーバが前記タイプ画像と前記合成手段により生成された合成画像とに基づいて携帯端末用の長方形状の待ち受け画像を生成して前記携帯端末に送信するために、前記合成手段により生成された合成画像を前記サーバに送信する送信手段を備えることを特徴とする写真撮影遊戯機。
【請求項３】
カメラを備えた写真撮影遊戯機により実行される写真撮影遊戯方法であって、
カメラ撮影で得られた長方形状の画像をトリミングして略正方形の写真画像を生成するステップと、
前記写真画像を生成するとき、前記カメラが撮影する長方形状の映像のうち所定範囲の略正方形状の映像のみを表示するステップと、
プレイヤの操作に応じて前記略正方形の写真画像上に所望の編集画像の入力を受け付けるステップと、
前記略正方形の写真画像と前記編集画像とを合成して略正方形の合成画像を生成するステップと、
前記生成された合成画像を印刷するステップとを備えることを特徴とする写真撮影遊戯方法。
【請求項４】
カメラ及び印刷装置を備えた写真撮影遊戯機に搭載されたコンピュータに、
カメラ撮影で得られた長方形状の画像をトリミングして略正方形の写真画像を生成するステップと、
前記写真画像を生成するとき、前記カメラが撮影する長方形状の映像のうち所定範囲の略正方形状の映像のみを表示するステップと、
プレイヤの操作に応じて前記略正方形の写真画像上に所望の編集画像の入力を受け付けるステップと、
前記略正方形の写真画像と前記編集画像とを合成して略正方形の合成画像を生成するステップと、
前記生成された合成画像を印刷するよう前記印刷装置を制御するステップとを実行させることを特徴とする写真撮影遊戯プログラム。
【手続補正２】
【補正対象書類名】明細書
【補正対象項目名】０００９
【補正方法】変更
【補正の内容】
【０００９】
本発明による写真撮影遊戯機は、写真画像生成手段と、ライブ映像表示手段と、編集受付手段と、合成手段と、印刷手段とを備える。写真画像生成手段は、カメラ撮影で得られた長方形状の画像をトリミングして略正方形の写真画像を生成する。ライブ映像表示手段は、写真画像を生成するとき、前記カメラが撮影する長方形状の映像のうち所定範囲の略正方形状の映像のみを表示する。編集受付手段は、プレイヤの操作に応じて略正方形の写真画像上に所望の編集画像の入力を受け付ける。合成手段は、略正方形の写真画像と編集画像とを合成して略正方形の合成画像を生成する。印刷手段は、生成された略正方形の合成画像を印刷する。ここで、略正方形とは、各辺の長さの差分が±５％以内の矩形をいう。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
操作部を備えた第１筐体と、
表示部を備えた第２筐体と、
前記第１筐体と前記第２筐体とを第１の方向及び前記第１の方向と垂直な方向である第２の方向に回動可能に連結する連結部と、を備えた携帯電子機器であって、
前記連結部は、
前記第１筐体と前記第２筐体とを前記第１の方向に回動可能にする第１部材と、
前記第１筐体と前記第２筐体とを前記第２の方向に回動可能にする第２部材と、を備え、
前記第１部材は、前記第１筐体と前記第２筐体とが積層された閉じ状態において、前記第２部材よりも前記第１筐体の厚み方向において下側に位置し、
前記第２部材は、前記第１筐体と前記第２筐体とが前記第２の方向に開いた状態において、前記第１部材の前記表面から突出し、前記第１部材の表面から前記第２部材の頂部まで斜面を有し、
前記第２筐体は、前記第１の方向の一方の端部側に前記第２部材が収容される窪みと、前記端部側で前記窪みより前記第２部材から遠くに配置されたアンテナとを有する携帯電子機器。
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
導電性を有する第１電極と、
導電性を有し、前記第１電極に対向して離間配置された第２電極と、
導電性を有し、前記第１電極と前記第２電極との間において前記第１電極および前記第２電極と離間して配置された振動体と、
前記第１電極の前記振動体に対向している面側と反対側に位置し、音が通過する複数の貫通孔を備え、少なくとも固体の通過を妨げ、撥水性を有する第１表面部材と
を有する静電型スピーカ。
【請求項２】
導電性を有する第１電極と、
導電性を有し、前記第１電極に対向して離間配置された第２電極と、
導電性を有し、前記第１電極と前記第２電極との間において前記第１電極および前記第２電極と離間して配置された振動体と、
前記第１電極の前記振動体に対向している面側と反対側に位置し、撥水性と音響透過性を有する第１撥水部材と、
前記第１電極の前記振動体に対向している面側と反対側に位置し、音が通過する複数の貫通孔を備え、少なくとも固体の通過を妨げる第１表面部材と
を有する静電型スピーカ。
【請求項３】
前記第１表面部材が撥水性を有することを特徴とする請求項２に記載の静電型スピーカ。
【請求項４】
前記振動体と前記第１電極との間に位置し、絶縁性、弾性、および音響透過性を有する第１クッション材と、
前記振動体と前記第２電極との間に位置し、絶縁性、弾性、および音響透過性を有する第２クッション材と
を有する請求項１または請求項２に記載の静電型スピーカ。
【請求項５】
前記第１クッション材および前記第２クッション材は、撥水性を有することを特徴とする請求項４に記載の静電型スピーカ。
【請求項６】
前記第２電極の前記振動体に対向している面側と反対側に位置し、撥水性と音響透過性を有する第２撥水部材と、
前記第２電極の前記振動体に対向している面側と反対側に位置し、音が通過する複数の貫通孔を備え、少なくとも固体の通過を妨げる第２表面部材と
を有する請求項１または請求項２に記載の静電型スピーカ。
【手続補正２】
【補正対象書類名】明細書
【補正対象項目名】０００６
【補正方法】変更
【補正の内容】
【０００６】
上述した課題を解決するために本発明は、導電性を有する第１電極と、導電性を有し、前記第１電極に対向して離間配置された第２電極と、導電性を有し、前記第１電極と前記第２電極との間において前記第１電極および前記第２電極と離間して配置された振動体と、前記第１電極の前記振動体に対向している面側と反対側に位置し、音が通過する複数の貫通孔を備え、少なくとも固体の通過を妨げ、撥水性を有する第１表面部材とを有する静電型スピーカを提供する。
また、上述した課題を解決するために本発明は、導電性を有する第１電極と、導電性を有し、前記第１電極に対向して離間配置された第２電極と、導電性を有し、前記第１電極と前記第２電極との間において前記第１電極および前記第２電極と離間して配置された振動体と、前記第１電極の前記振動体に対向している面側と反対側に位置し、撥水性と音響透過性を有する第１撥水部材と、前記第１電極の前記振動体に対向している面側と反対側に位置し、音が通過する複数の貫通孔を備え、少なくとも固体の通過を妨げる第１表面部材とを有する静電型スピーカを提供する。
【手続補正３】
【補正対象書類名】明細書
【補正対象項目名】０００７
【補正方法】変更
【補正の内容】
【０００７】
本発明においては、前記第１表面部材が撥水性を有する構成であってもよい。
また、本発明においては、前記振動体と前記第１電極との間に位置し、絶縁性、弾性、および音響透過性を有する第１クッション材と、前記振動体と前記第２電極との間に位置し、絶縁性、弾性、および音響透過性を有する第２クッション材とを有する構成であってもよい。
また、本発明においては、前記第１クッション材および前記第２クッション材は、撥水性を有する構成であってもよい。
また、本発明においては、前記第２電極の前記振動体に対向している面側と反対側に位置し、撥水性と音響透過性を有する第２撥水部材と、前記第２電極の前記振動体に対向している面側と反対側に位置し、音が通過する複数の貫通孔を備え、少なくとも固体の通過を妨げる第２表面部材とを有する構成であってもよい。
【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
液浸露光中に基板を支持するように構成された基板テーブルと、
前記基板テーブルから物理的に分離し、露光中に前記基板の半径方向外側に位置し、前記基板に実質的に隣接し且つ同一高さにある、投影システムに対向する表面を提供するカバープレートと、を備え、
前記カバープレートと前記基板テーブルとの間に断熱材が設けられている、リソグラフィ装置。
【請求項２】
前記断熱材は、前記基板テーブル及び／又は前記カバープレートに適用された反射性コーティングを備える、請求項１に記載のリソグラフィ装置。
【請求項３】
前記反射性コーティングは、前記基板テーブルと前記カバープレートとの間の相対的な熱交換を減少させる、請求項２に記載のリソグラフィ装置。
【請求項４】
前記断熱材は、複数の節を備える、請求項１乃至請求項３のいずれか一項に記載のリソグラフィ装置。
【請求項５】
前記基板テーブルと前記基板との間に位置し、前記基板を支持するように設けられた基板ホルダをさらに備える、請求項１乃至請求項４のいずれか一項に記載のリソグラフィ装置。
【請求項６】
前記基板ホルダがＳｉＳｉＣを含む材料から形成される、請求項５に記載のリソグラフィ装置。
【請求項７】
熱伝導性結合媒体が、前記基板と前記基板ホルダ、前記基板ホルダと前記基板テーブル及び／又は前記カバープレートと前記基板テーブルとの間に設けられるように構成される、請求項５又は請求項６のいずれかに記載のリソグラフィ装置。
【請求項８】
前記熱伝導性結合媒体が流体及び／又はインジウムである、請求項７に記載のリソグラフィ装置。
【請求項９】
前記基板テーブル、前記基板テーブルに機械的及び／又は熱的に接触するコンポーネント又はこれら両方の温度をある範囲内のターゲット温度内に維持するように構成された温度安定化デバイスをさらに備える、請求項１乃至請求項８のいずれか一項に記載のリソグラフィ装置。
【請求項１０】
前記温度安定化デバイスが、前記カバープレートに埋め込まれた流路のネットワークと、対応するターゲット温度からの前記基板テーブル、前記基板ホルダ及び／又は前記カバープレートの一部の温度偏差を減少させるために、前記流路のネットワーク内の熱交換流体の温度及び／又は圧力を制御するように設けられたコントローラとを備える、請求項９に記載のリソグラフィ装置。
【請求項１１】
前記温度安定化デバイスが、加熱要素と、対応するターゲット温度からの前記基板テーブル、前記基板ホルダ及び／又は前記カバープレートの一部の温度偏差を減少させるために、前記加熱要素からの熱出力を制御するように構成されたコントローラとを備える、請求項９又は請求項１０のいずれかに記載のリソグラフィ装置。
【請求項１２】
前記加熱要素は、前記カバープレート内に埋め込まれるか又は前記カバープレートの表面に取り付けられている、請求項１１に記載のリソグラフィ装置。
【請求項１３】
前記加熱要素が、ターゲット温度の領域で温度により生じる相転移を受ける材料を備え、前記相転移が前記材料を、転移温度より低い比較的高い加熱出力を生成する状態から、転移温度より高い比較的低い加熱出力を生成する状態へと変化させる、請求項１０に記載のリソグラフィ装置。
【請求項１４】
前記加熱要素が転移温度より低い場合のみ前記加熱要素が磁気ヒステリシスによって前記基板テーブルに熱を与えるように、変動する磁界を前記加熱要素に与えるように構成されたコントローラ及びエレクトロマグネットをさらに備える、請求項１１乃至請求項１３のいずれか一項に記載のリソグラフィ装置。
【請求項１５】
前記基板テーブル、前記基板ホルダ及び／又は前記カバープレートの一部の温度を測定するように構成された温度センサをさらに備える、請求項９乃至請求項１３のいずれか一項に記載のリソグラフィ装置。
【請求項１６】
前記基板テーブル温度安定化デバイスが、前記温度センサからの温度読み取り値を使用して、対応するターゲット温度からの前記基板テーブルの一部の温度偏差を減少させるように構成される、請求項１５に記載のリソグラフィ装置。
【請求項１７】
前記温度センサは、前記基板テーブル及び／又は前記カバープレートに固定されるか、前記基板テーブル及び／又は前記カバープレート内に埋め込まれるか又は前記基板テーブル及び／又は前記カバープレートに隣接して位置決めされる、請求項１５又は請求項１６のいずれかに記載のリソグラフィ装置。
【請求項１８】
前記温度センサの読み取り値と対応するターゲット温度との間の差を減少させるために前記加熱要素及び／又は冷却要素を調節するためのフィードバックループをさらに備える、請求項１５乃至請求項１７のいずれか一項に記載のリソグラフィ装置。
【請求項１９】
基板を支持するように構成された基板テーブルと、
変調した放射ビームを基板に投影するように構成された投影システムと、
前記基板テーブルの一部の位置を求めるように構成された測定システムと、
前記基板テーブルの歪みに関するデータを提供するように構成された基板テーブル歪み測定デバイスと、
前記測定システムで測定した前記基板テーブルの一部の前記位置、および前記基板テーブル歪み測定デバイスによって提供された前記基板テーブルの歪みに関するデータを参照することにより、前記投影システムに対して前記基板の位置を制御するように構成された基板位置コントローラと、を含む、リソグラフィ装置。
【手続補正２】
【補正対象書類名】明細書
【補正対象項目名】発明の名称
【補正方法】変更
【補正の内容】
【発明の名称】リソグラフィ装置